(57)【要約】【課題】夜哭きをする高齢の犬や猫の夜哭きを予防し又は防止する。【解決手段】フェルラ酸とガーデンアンゼリカ抽出物を有効成分とするもので抗夜哭き剤を構成した。ここで、フェルラ酸はポリフェノールの一種であり、米糠に含まれている。フェルラ酸は抗酸化作用を有し、認知症の改善に効果がある。フェルラ酸は吸収の点でγシクロデキストリンで包摂されているものが好ましい。夜哭きをする高齢の犬又は猫にこの抗夜哭き剤を摂取させると夜哭きが抑制され、又は夜哭きが防止される。【選択図】なし【特許請求の範囲】
【請求項１】
フェルラ酸とガーデンアンゼリカ抽出物を有効成分とする犬猫用抗夜哭き剤。
【請求項２】
フェルラ酸がγシクロデキストリンで包摂されていることを特徴とする請求項１に記載の犬猫用抗夜哭き剤。
【発明の詳細な説明】
【技術分野】
【０００１】
本発明は、高齢の犬や猫の夜哭きを抑制したり又は防止するための犬猫用抗夜哭き剤に関するものである。
【背景技術】
【０００２】
近年、獣医療の進歩に伴って高齢の犬や猫が増加し、認知症状を呈する高齢の犬や猫が現れている。高齢の犬や猫に現れる認知症状には以下の１）〜５）の症状があり、これらの認知症状はその頭文字をとって「DISHA」と呼ばれている。
【０００３】
１）よく知つている環境下での見当識障害(Disorientation) 
２）人や他の動物との関係性の変化(Interaction)
３）睡眠−覚醒周期の変化する時間認識障害(Sleep-wakecycle)
４）しつけや排泄など学習されていた行動の減退や反応の欠如(Housetraining)
５）活動性の変化(Activity)
【０００４】
これらの認知症状「ＤＩＳＨＡ」に対し、これまでのところ、効果的な薬剤は無く、また画期的な治療法も提供されていない。
【０００５】
ところで、高齢の犬や猫には上記認知症状を呈すると共に夜哭きをする犬や猫が存在する。この犬や猫の夜哭きは、犬や猫自身の睡眠のみならず、飼い主の睡眠をも妨げている。しかも、犬や猫の夜哭きは近隣住民とのトラブルに発展することが多く、場合によっては社会的な問題となることもある。
【０００６】
若い犬や猫であればトレーニングなどにより夜哭きを無くさせる可能性もあるが、認知症状を示している高齢の犬や猫ではトレーニングなどにより夜哭きを無くさせることはできず、寝かせる以外に有効な対策がない。そのため飼い主は、夜間に哭き続ける犬や猫をおとなしくさせることに苦慮し、これが飼い主の悩みとなっている。
【先行技術文献】
【非特許文献】
【０００７】
【非特許文献１】小動物臨床のための5分間コンサルト・Larry P.Tilley,Francis W. K . S m t t h , Jr.編, 長谷川篇彦監修，インターズ−，p p . 1 4 4 2 , 2006.
【非特許文献２】Graf E.: Antioxidant potential of ferulic acid, Free Rad. Biol. Med.13:435-448, 1992.
【非特許文献３】Ono K.et al : Ferulic acid destabilizes performed β- amyloid fibrils in vitro, Biochem. Biophys. Res. Commum. 386 : 444-449, 2005.
【非特許文献４】中村重信: F e r u l i c  a c i d とG a r d e n  a n g e l i c a 根抽出物製剤ANM176がアルツハイマー病患者の認知機能に及ぼす影響，Ceriat. Med. 46:1511-1519, 2008.
【非特許文献５】杉本栄造：認知症周辺症状に対するフェルラ酸の使用経験，京都医学会雑誌第57巻1号81〜83 June 2010
【非特許文献６】犬と猫の老齢医学，Mike Davies著，内野富弥 監訳，学窓社，p.1.
【発明の概要】
【発明が解決しようとする課題】
【０００８】
本発明が解決しようとする課題は、夜哭きをする高齢の犬や猫に対して夜哭きを無くさせる有効な対策がない点である。
【課題を解決するための手段】
【０００９】
本発明は、高齢の犬や猫の夜哭きを抑制したり防止するため、フェルラ酸とガーデンアンゼリカ抽出物を有効成分とする抗夜哭き剤を高齢の犬や猫に摂取させることを最も主要な特徴とする。ここで、フェルラ酸は吸収を遅くさせるためにγシクロデキストリンで包摂されている形が好ましい。
【発明の効果】
【００１０】
本発明の犬猫用抗夜哭き剤を高齢の犬や猫に摂取させると高齢の犬や猫の夜哭きを抑制したり防止することができるという利点がある。
【図面の簡単な説明】
【００１１】
【図１】図１は本発明の実施例で使用した認知症スコアシートを示す説明図である。
【発明を実施するための形態】
【００１２】
高齢の犬や猫の夜哭きを抑制し又は防止するという目的を、フェルラ酸とガーデンアンゼリカ抽出物を有効成分とするものにより、高齢の犬や猫に副作用を生じさせることなく実現した。
【実施例１】
【００１３】
ポリフェノールの一種であるフェルラ酸とガーデンアンゼリカ抽出物を主成分とした抗夜哭き剤(フェルラ酸、環状オリゴ糖、ビタミンＣ、ビタミンＥ、ブドウ糖、ガーデンアンゼリカ抽出物)を認知症状を呈した高齢の犬や猫に投与し、その効果を調べた。
【００１４】
犬３５例、猫９例のうち、「夜哭き」および「無目的な哭き声」を主症状としている犬１７例および猫６例を検証対象とした。
【００１５】
犬１７例の犬種は、柴犬５例、シー・ズー４例、雑種犬３例、ビーグル、マルチーズ、ヨークシャー・テリア、ポメラニアン、パグが各１例であった。年齢は１３〜２０歳(平均１５．６歳) で、雄４例、去勢済み雄７例、雌１例、不妊手術済み雌５例であった。
【００１６】
猫６例は全例が短毛雑種猫であった。年齢は１６〜２１歳(平均１９．２歳)で、雄１例、去勢済み雄２例、不妊手術済み雌３例であった。
【００１７】
この検証対象の犬及び猫に本発明抗夜哭き剤を投与した。本発明抗夜哭き剤１ｇ中にはフェルラ酸66.67mg とガーデンアンゼリカ抽出物13.33mgが含有されている。
【００１８】
フェルラ酸は米糠より抽出したポリフェノールの一種であり、腸管への吸収から排泄までがおよそ３〜４時間と短いことから、ヒトでは１日３回の投与となっている。しかし、犬や猫では３回の投与は現実的ではなく、２回投与とするためにγシクロデキストリン(環状オリゴ糖)で顆粒状に包摂させ、吸収時間を長くしたものを用いた。
【００１９】
また、ガーデンアンゼリカは西洋トウキ、セリ科シシウド属の二年草あるいは多年草である。ガーデンアンゼリカにはクマリンが含まれており、多量摂取により肝障害がみられることがあるが、本発明抗夜哭き剤の投与量ではクマリン量換算で0.003〜0.004mg/kgであり、長期間適用しても肝機能に影響しない投与量である。
【００２０】
体重２〜４kgの症例で０．１９ｇ（添付されたスプーン山盛り１杯）、体重５〜７kgの症例で０．３８ｇ（同２杯）とし、症例の体重に応じて投与量を漸増した（最低用量として０．０７ｇ／ｋｇ以上)。投与回数は１日２回とした。
【００２１】
前記の方法により投与を実施した獣医師が図１に示す認知症スコアシートにデータを記載し、それらをまとめた。経過の欄は、獣医師の自由記入とした。著効、有効、無効の判断は、担当した獣医師の判断によるものである。
【００２２】
高齢の犬及び猫に対する本発明抗夜哭き剤の投与による結果は表１に示す通りであった。
【００２３】
【表１】
2012231690.tif 000002
【００２４】
表１に示す結果から、犬猫の夜哭きに対する本発明抗夜哭き剤の投与の結果は以下の通りであった。
１）犬の夜哭きに対する本発明抗夜哭き剤の投与による結果は、著効１１例、有効０例、無効４例、中止２例であった。
２）本発明抗夜哭き剤は、犬の夜哭きに対しては、６４％で改善された。投与を中止した症例を除けば７３％であった。
３）猫の夜哭きに対する本発明抗夜哭き剤の投与の結果は、著効４例、有効１例、無効１例であった。
４）本発明抗夜哭き剤は、猫の夜哭きに対しては、８３％で改善された。
５）夜哭きが改善されなかつた５例のうち、昼夜の逆転の改善が２例、くるくる回ることの改善が１例、体調の改善が１例でみられた。
６）本発明抗夜哭き剤の投与を中止した２例は、「体調が良くなり、わがままな吠え」がひどくなったことによるものと、「体調が良くなり尿失禁も改善したが、てんかん様発作がひどくなつた」ために中止したものである。
７）本発明抗夜哭き剤の投与後には、下痢、嘔吐などの副作用は、全症例で認められなかった。
【００２５】
今回、本発明抗夜哭き剤の投与により、犬１７例中１１例、猫６例中５例に夜哭き改善の効果が認められた。投与開始から２日で夜哭きが改善したケースや、数十日経つてから効果が現れたケースがあるが、このことは認知症状を起こした脳内の病理的な違いを示しているのか、１回当たりの投与量の問題なのかは不明であり、今後の検討課題となる。また、無効の２例においても同様である。投与方法については、今回投与した約２倍量を２〜３週間投与し、効果を確認した後に減量していくといつた方法を検討してもよいかもしれない。
【００２６】
フェルラ酸は、米糠から抽出されたポリフェノールの一種で強力な抗酸化作用をもち、アミロイドβタンパクの凝集阻止作用を有するとされており、神経細胞死抑制を期待されている。また、ガーデンアンゼリカは、神経突起伸長作用、神経細胞のネットワーク再構築から、神経再生を期待されている。
【００２７】
ヒトでは、認知症をアルツハイマー型認知症、正常圧水頭症、レビー小体型認知症、脳血管性認知症などに分けられており、それぞれ治療法が異なっている。中村らは、フェルラ酸とガーデンアンゼリカ根抽出物製剤ＡＮＭ１７６がアルツハイマー病患者の認知機能低下を抑える効果があると報告し、杉本は、認知症周辺症状に対してフェルラ酸を使用し、中等度以上の認知症ＢＰＳＤの陰性症状の改善を報告している。
【００２８】
しかしながら、犬や猫がヒトと同じような認知症状を見せていても、病理的には異なつた原因であることは十分に考えられる。ヒトと異なり、高齢動物に対しては手軽にＣＴやＭＲＩが使用できない現状では、認知症状をもっと注意深く観察することによって、脳内の病理的変化に気づけるのではないかと考える。
【００２９】
ヒトの老齢者は、自分たちの病気が単に「老齢」のせいで、どうしようもないと信じ込み、病気の初期に医学的処置を求めようとしない傾向がある。高齢動物を抱えた飼い主も同じように「高齢なのでどうしようもない」と考えがちである。
【００３０】
しかし、今回、本発明抗夜哭き剤の投与によって、夜哭きを呈する症例の６９%（犬と猫を合わせて）において改善の効果がみられたことは、夜哭きで脳む飼い主はもちろん、我々獣医療に携わる者にとっても、大きな福音である。
【００３１】
認知症状の分析や投与量の問題など、まだ検討すべき課題は多々あるが、この抗夜哭き剤が、この分野の治療の発展に大きく寄与できるものと考える。
【００３２】
さらに今回は夜哭き以外の認知症状の改善も多くの症例でみられた。副反応ともいうべき食欲の増進や運動性の復活、毛艶の改善などもみられたが、これらについても今後、さらに症例を重ねて検討していきたいと考えている。
【図１】
2012231690.tif 000003